(57)【要約】      （修正有）【課題】薬物不使用で毛根細胞を活性化する多功能頭部健康機具の提供。【解決手段】多功能頭部健康機具は、握持するのに便利な本体からなり、本体に低レベルレーザー光束を射出するレーザー生成器と複数の軟性突起体を設置し、軟性突体はLEDランプを設け、本体内に振動素子を有する。振動素子により、軟性突体が振動を生成し、軟性突体は頭皮ツボをマッサージすると同時に、LEDランプが突体がマッサージする頭皮ツボに対応し、レーザー生成器の光パルス照射により、毛根細胞を活性化し、脱毛を予防し、頭髪成長を促進する。【選択図】図２
0003133700.tif 000002
【実用新案登録請求の範囲】
【請求項１】
多功能頭部健康機具であって、
本体と、
前記本体外に突出する突体と、
前記突体に設置されるLEDランプと、
前記本体に設置され、低レベルレーザー光束を射出するレーザー生成器と、
前記本体に設置される制御ユニットと、
前記本体に設置される電源ユニットと、
からなり、上述の素子により、前記LEDランプ、レーザー生成器のパルス光が頭部を照射し、且つ、前記突体が頭部のツボをマッサージすると同時に、頭部をケアすることを特徴とする多功能頭部健康機具。
【請求項２】
前記本体中に軟性素子を有して複数の前記突体を支承し、弾性的にシフトできるようにすることを特徴とする請求項１に記載の多功能頭部健康機具。
【請求項３】
前記本体は感応スイッチを有し、前記突体を前記本体に向けて移動させる時、受圧して振動ユニットを起動させることを特徴とする請求項２に記載の多功能頭部健康機具。
【請求項４】
前記本体は振動調整スイッチを有し、前記振動ユニットの振動力の大きさを調整することを特徴とする請求項３に記載の多功能頭部健康機具。
【請求項５】
前記本体は工学造型であることを特徴とする請求項１に記載の多功能頭部健康機具。
【請求項６】
前記突体外に位置する本体上にLEDランプを設置することを特徴とする請求項１に記載の多功能頭部健康機具。
【請求項７】
前記LEDランプは少なくとも一部のランプが赤光以外の柔和な色を発光することを特徴とする請求項１に記載の多功能頭部健康機具。
【請求項８】
前記本体に反射鏡を設置して、前記レーザー生成器のレーザー光束を反射させ、レーザー光束は大面積で前記本体外に射出することを特徴とする請求項１に記載の多功能頭部健康機具。
【請求項９】
前記制御ユニットはブザーを有して、警告を提示することを特徴とする請求項１に記載の多功能頭部健康機具。
【請求項１０】
前記本体はレーザー生成器を外接することを特徴とする請求項１に記載の多功能頭部健康機具。
【考案の詳細な説明】
【技術分野】
【０００１】
本考案は、多功能頭部健康機具に関し、特に、製造コストが廉価で、操作が容易、薬物不使用で毛根細胞を活性化し、脱毛を予防し、軟性の突体はLEDランプを設置し、LEDランプとレーザー素子による光パルスが頭皮を照射し、LEDランプの光パルスが軟性突体がマッサージする頭皮ツボを照射して、毛根細胞を活性化する多功能頭部健康機具に関するものである。
【背景技術】
【０００２】
脱毛した頭部には、主に、かつらを使用する人が多いが、不自然な外観であり、また、取り外しやすい構造であり、不意に落ちて恥ずかしい思いをすることがある。
【０００３】
脱毛の問題を改善するもう一つの方法としては、“毛嚢”を失った毛髪の代替とするもので、この手術方法は人毛を毛嚢に移植するものであり、髪の色と外観は自然である。しかし、この方法は外科により手術を施すもので非常に高い。
【０００４】
かつらと外科手術のほかに、頭髪の成長を促進する医療商品も開発され、これらの商品は薬剤の服用や局部皮膚治療であるが、通常は、別途に費用が必要であったり、医者にかからないと処方されない薬剤であったり、副作用がある場合もある。
【０００５】
近年、低レベルレーザー治療(low-level laser
treament，LLLT)が治療に用いられ、この治療方法中、低レベルレーザー光束を皮膚に照射し、皮膚中のDNAが刺激を受けて蛋白質合成を増加させ、皮膚の細胞分裂を促進し、低レベルレーザー光束を人体に照射する時、人体の血管が拡張して血液循環を促し、ダメージを受けた細胞組織を正常な状態にするものである。
【０００６】
特に、頭皮上に照射する低レベルレーザー光束は頭皮の血液循環を速く、且つ、毛根細胞を刺激し、よって、脱毛治療と同時に、頭髪成長を促進する。通常は、このような装置は大きく、且つ、高価である。
【考案の開示】
【考案が解決しようとする課題】
【０００７】
本考案の目的は、薬物不使用で、毛根細胞を活性化する多功能頭部健康機具を提供することにある。
【０００８】
本考案は、鼻部温灸効果のある多功能頭部健康機具を提供することをもう一つの目的とする。構造上、本体が少なくとも一つのレーザー生成器を外接し、鼻部を温熱し、鼻腔の血液循環を促進して、鼻づまりやアレルギーを防止する。
【課題を解決するための手段】
【０００９】
本考案の多功能頭部健康機具は、本体と、本体に設置される複数の突体と、突体に設置されるLEDランプと、本体に設置され、低レベルレーザー光束を射出するレーザー生成器と、制御ユニットと、電源ユニットと、からなる。
【考案の効果】
【００１０】
本考案の軟性突体は頭皮ツボをマッサージすると同時に、LEDランプが突体がマッサージする頭皮ツボに対応し、レーザー生成器の光パルス照射により、毛根細胞を活性化し、脱毛を予防し、頭髪成長を促進する。
【考案を実施するための最良の形態】
【００１１】
図１〜図３は、本考案の構造を示し、本体１０と、複数の突体２１が本体１０外に突出する二突体素子２０、と、突体２１に設置されるLEDランプ３０と、本体１０上に環設されるLEDランプ４０と、突体２１とLEDランプ３０を支承する軟性素子５０と、レーザー光束を射出するレーザー生成器６０と、振動功能を提供する振動ユニット７０と、振動ユニット７０を起動させる感応スイッチ８０と、外接する二レーザー生成器９０と、からなる。
【００１２】
振動ユニット７０により、突体２１に振動を生成させ、突体２１が頭部ツボをマッサージし、同時に、LEDランプ３０が突体がマッサージする頭皮ツボに対応し、レーザー生成器６０の光パルス照射により、頭部の健康を促進する。レーザー生成器９０は鼻中に挿入し、鼻部を温熱することもできる。以下で本構造を詳しく説明する。
【００１３】
本体１０は、前蓋１１、後蓋１２からなり、手部が握持しやすい造型である。本体１０前方に、人体頭部形状に符合する弧状パネル１３を設置し、パネル１３上に複数の円形と長方形の孔１３１を有して、突体２１が伸出し、透明素子１４、１５を装着して、良好な表面を形成し、且つ、透明素子１４，１５は本体１０中に生成されるレーザー光束、或いは、LEDランプの光エネルギーを射出する。本体１０上に電源を制御できる電源スイッチ１６１を有し、電源スイッチ１６１は制御ユニット１６に設置され、制御ユニット１６は制御回路とブザー１６２を設置する。制御回路は計時回路、電源自動開閉回路、を有し、所定の時間まで作動するようになって、ブザー１６２が鳴る。前蓋１１は孔１１１を有し、ブザー１６２の音を発出し、LEDランプ３０、４０、及び、レーザー生成器６０の光パルスが頭部の同一箇所に長く照射されるのを防止するため、使用者に本体１０を移動するよう促す。電源自動開閉回路は、所定の時間まで電源をオンにして、その後、自動的に断電する。本体１０に、更に、振動ユニット７０の振動力の大きさを調整する調整スイッチ１７を設置する。本体１０中の所定箇所に、固定フレーム１８を有し、相関する構成素子を固定する。本体１０中の所定箇所に、電力を提供する電源ユニット１９を設置し、電源ユニット１９は電池である。本体１０上に孔１９１を有し、電源を外接するか、充電を実行する。
【００１４】
二突部素子２０は軟性の長方形状で、数個の突体２１を設置し、突体２１は本体１０から伸出し、頭部を快適にマッサージする。各突部２１は透明で、且つ、凹孔２２を有する。
【００１５】
複数のLEDランプ３０は、赤光、青光、或いは、その他の色のランプを発光し、上下が青光で、その他は赤光を本考案の実施例としているが、LEDランプ３０は赤光、青光、或いは、その他の色を交錯して設置してもよい。LEDランプ３０は突体２１の凹孔２２に対応し、LEDランプ３０のピンは二ピン座３１上に設置されて、制御ユニット１６、電源ユニット１９の装着、取り外しを便利にし、ピン座３１は突部３２を有する。
【００１６】
数個のLEDランプ４０は排列されて本体中に設置され、透明素子１４に対応する。LEDランプ４０は、赤光、青光、或いは、その他の色のランプを発光し、LEDランプ４０のピンはピン座４１上に設置されて、制御ユニット１６、電源ユニット１９の装着、取り外しを便利にする。
【００１７】
二軟性素子５０は本体１０中に設置されて、突体２１とLEDランプ３０を支承すると共に、押圧時、所定の弾力を有し、快適な頭皮のマッサージを提供する。
【００１８】
レーザー生成器６０は本体１０中に設置され、低レベルレーザー光束を射出し、本体１０中に反射鏡６１を設置し、レーザー生成器６０のレーザー光束を反射して、レーザー光束が大面積で透明素子１５を通過して、本体１０外に出る。
【００１９】
振動ユニット７０は本体１０中に設置され、振動力を生成する。
【００２０】
感応スイッチ８０はピン座３１の突部３２に対応し、突部３２と一定距離を保持し、押圧後、振動ユニット７０を起動する。
【００２１】
二レーザー生成器９０は、低レベルレーザー光束を射出し、導線９１とヘッド９２を有し、ヘッド９２を本体１０の挿入孔１０１上に挿入することにより、本体１０が電源を得て、且つ、外接状に形成して、装着と取り外しに便利である。
【００２２】
図４を参照すると、本考案の使用時、複数の突体２１が射出するLED光と数個のLEDランプ４０が射出するフレーム型LED光が、均一に頭部を照射し、頭部の毛根細胞を活性化する。
【００２３】
図５を参照すると、本考案の数個の突体２１は頭部ツボをマッサージし、また、髪を整える櫛体であり、頭部ツボをマッサージすると同時に、突体２１が圧力を受けて、ピン座３１を本体１０中に向かって移動させ、ピン座３１突部３２が感応スイッチ８０を押圧し、振動ユニット７０を起動して、突体２１に振動マッサージ力を提供する。突体２１中のLEDランプ３０は突体２１がマッサージする頭部ツボに対応し、レーザー生成器６０のパルス照射により、毛髪細胞を活性化し、脱毛を予防し、頭髪の生成を促進する。
【００２４】
図６を参照すると、本考案の数個のLEDランプ３０、及び、４０は大部分が赤光を発光するが、上下のLEDランプ３０光源は赤光ではなく、本考案の実施例は青光を採用し、青光は温和であり、全部のLEDランプが赤光で刺激が強すぎるのを避け、緩和効果を有する。赤色以外にその他の柔かい色のランプを用いてもよい。
【００２５】
図７を参照すると、本考案のレーザー生成器９０は、鼻部に挿入し、鼻部を温熱して、鼻部の血液循環を促進し、鼻づまりやアレルギーを防止する。
【図面の簡単な説明】
【００２６】
【図１】本考案の立体図である。
【図２】本考案の立体分解図である。
【図３】本考案の断面図である。
【図４】本考案の使用実施例図である。
【図５】本考案の突部が頭部をマッサージする使用実施例の断面図である。
【図６】本考案のLEDランプの発光状態を示す平面図である。
【図７】本考案の外接するレーザー生成器の使用実施例図である。
【符号の説明】
【００２７】
10...本体          101...挿入孔
11...前蓋          111...孔
12...後蓋          13....パネル
131..孔          14....透明素子
15...透明素子        16....制御ユニット
161..電源スイッチ      162...ブザー
17...調整スイッチ      18....固定フレーム
19...電源ユニット      191...孔
20...突体素子      21....突体          
22...凹孔          30....LEDランプ
31...ピン座        32....突部
40...LEDランプ       41....ピン座
50...軟性素子        60....レーザー生成器
61...反射鏡        70....振動素子
80...感応スイッチ      90....レーザー生成器
91...導線          92....ヘッド
【図１】
0003133700.tif 000003
【図２】
0003133700.tif 000004
【図３】
0003133700.tif 000005
【図４】
0003133700.tif 000006
【図５】
0003133700.tif 000007
【図６】
0003133700.tif 000008
【図７】
0003133700.tif 000009